(57)【要約】【課題】本発明は、携帯電子装置が位置している位置情報に基づいて、携帯電子装置の対応する機能を停止することができる安全管理システム及びその安全管理方法を提供することを目的とする。【解決手段】本発明に係る安全管理システムは、携帯電子装置とサーバとの間で応用され、該サーバ内には、機能限定リストが記憶されている。機能限定リストには、携帯電子装置の各異なる位置情報に対応して停止する携帯電子装置の機能が記録されている。安全管理システムは、携帯電子装置の位置情報を提供する情報提供モジュールと、位置情報及び機能限定リストに基づいて、機能限定命令を生成する機能限定モジュールと、機能限定命令に基づいて、携帯電子装置の対応する機能を停止する機能停止モジュールと、を備える。【選択図】図３
2013110739.tif 000002
【特許請求の範囲】
【請求項１】
携帯電子装置とサーバとの間で適用される安全管理システムにおいて、
前記サーバ内に機能限定リストが記憶されており、前記機能限定リストには、前記携帯電子装置の各異なる位置情報に対応した、停止させる前記携帯電子装置の機能が記録されており、
前記安全管理システムは、前記携帯電子装置の位置情報を提供する情報提供モジュールと、前記位置情報及び前記機能限定リストに基づいて、機能限定命令を生成する機能限定モジュールと、前記機能限定命令に基づいて、前記携帯電子装置の対応する機能を停止する機能停止モジュールと、を備えることを特徴とする安全管理システム。
【請求項２】
前記安全管理システムは、前記機能停止モジュールによって停止された機能を回復させて使用状態にする機能回復モジュールをさらに備えることを特徴とする請求項１に記載の安全管理システム。
【請求項３】
前記機能限定リストには、前記携帯電子装置の位置情報とユーザーのアクセス権レベルとを組み合わせた条件に対応した、停止させる前記携帯電子装置の機能がさらに記録されており、
前記情報提供モジュールは、前記携帯電子装置のユーザーのアクセス権レベルをさらに提供し、前記機能限定モジュールは、前記位置情報及びユーザーのアクセス権レベルと前記機能限定リストとに基づいて、機能限定命令を生成することを特徴とする請求項１に記載の安全管理システム。
【請求項４】
前記サーバには、ユーザーの生体特徴情報が予め設定されており、前記安全管理システムは、ユーザーが入力したユーザーの生体特徴情報を受信する受信モジュールと、前記生体特徴情報が、前記サーバ内に記憶されているユーザーの生体特徴報の中の１つであるかどうかを検証する検証モジュールと、をさらに備え、前記ユーザーの生体特徴情報が前記サーバ内に記憶されているユーザーの生体特徴情報の中の１つである場合、前記情報提供モジュールは、前記携帯電子装置の位置情報を提供することを特徴とする請求項１に記載の安全管理システム。
【請求項５】
前記安全管理システムは、前記携帯電子装置と前記サーバとアクセス管理装置との間で適用され、且つ一組の動的なバーコードをランダムに生成するバーコード生成モジュールと、前記バーコードを表示する表示モジュールと、前記表示された一組の動的なバーコードを撮影して取得した後、該一組の動的なバーコードをアップロードする撮影モジュールと、前記アップロードした一組の動的なバーコードを検証するバーコード検証モジュールと、をさらに備え、前記アップロードした一組の動的なバーコードが、前記バーコード生成モジュールによってランダムに生成されたバーコードである場合、前記情報提供モジュールは、携帯電子装置の位置情報を提供することを特徴とする請求項１に記載の安全管理システム。
【請求項６】
携帯電子装置とサーバとの間で適用される安全管理システムに適用される安全管理方法において、
前記サーバ内に機能限定リストが記憶されており、前記機能限定リストには、前記携帯電子装置の各異なる位置情報に対応した、停止させる前記携帯電子装置の機能が記録されており、
前記安全管理方法は、前記携帯電子装置の位置情報を提供するステップと、前記位置情報及び前記機能限定リストに基づいて、機能限定命令を生成するステップと、前記機能限定命令に基づいて、前記携帯電子装置の対応する機能を停止させるステップと、を含むことを特徴とする安全管理システムの安全管理方法。
【請求項７】
前記安全管理方法は、前記携帯電子装置が他の位置に移動した場合、既に停止された機能を回復させて使用状態にするステップをさらに含むことを特徴とする請求項６に記載の安全管理システムの安全管理方法。
【請求項８】
前記機能限定リストには、前記携帯電子装置の位置情報とユーザーのアクセス権レベルとを組み合わせた条件に対応した、停止させる前記携帯電子装置の機能がさらに記録されており、前記安全管理方法は、前記携帯電子装置のユーザーのアクセス権レベルを提供するステップと、前記位置情報及びユーザーのアクセス権レベルと前記機能限定リストとに基づいて、機能限定命令を生成するステップと、をさらに含むことを特徴とする請求項６に記載の安全管理システムの安全管理方法。
【請求項９】
前記サーバには、ユーザーの生体特徴情報が予め設定されており、前記安全管理方法は、ユーザーが入力したユーザーの生体特徴情報を受信するステップと、前記生体特徴情報が、前記サーバ内に予め設定されているユーザーの生体特徴報の中の１つであるかどうかを検証するステップと、前記ユーザーの生体特徴情報が前記サーバ内に予め設定されているユーザーの生体特徴情報の中の１つである場合、前記携帯電子装置の位置情報を提供するステップと、をさらに含むことを特徴とする請求項６に記載の安全管理システムの安全管理方法。
【請求項１０】
前記安全管理方法は、一組の動的なバーコードをランダムに生成するステップと、前記バーコードを表示するステップと、前記表示された一組の動的なバーコードを撮影して取得した後、該取得した一組の動的なバーコードをアップロードするステップと、前記アップロードした一組の動的なバーコードを検証するバーコード検証ステップと、前記アップロードした一組の動的なバーコードがランダムに生成されたバーコードである場合、携帯電子装置の位置情報を提供するステップと、をさらに含むことを特徴とする請求項６に記載の安全管理システムの安全管理方法。
【発明の詳細な説明】
【技術分野】
【０００１】
本発明は、安全管理システム及びその安全管理方法に関するものである。
【背景技術】
【０００２】
携帯電話などのようなカメラ付き携帯電子装置を携帯して、撮影禁止場所（例えば研究室、開発室）に入った際、携帯者は、該カメラ付き携帯電子装置を利用して、研究過程又は開発過程に関連する重要な情報、サンプル等を撮影し、これらをインターネットにアップロードすることができる。これでは、研究者、開発者にとって、重要な情報が漏洩してしまうため、多大な損失を被る。
【発明の概要】
【発明が解決しようとする課題】
【０００３】
以上の問題点に鑑みて、本発明は、携帯電子装置が位置する情報に基づいて、携帯電子装置の対応する機能を停止することができる安全管理システム及びその安全管理方法を提供することを目的とする。
【課題を解決するための手段】
【０００４】
前記課題を解決するために、本発明に係る安全管理システムは、携帯電子装置とサーバとの間で適用され、該サーバ内には機能限定リストが記憶されている。前記機能限定リストには、前記携帯電子装置の各異なる位置情報に対応した、停止させる前記携帯電子装置の機能が記録されている。前記安全管理システムは、前記携帯電子装置の位置情報を提供する情報提供モジュールと、前記位置情報及び前記機能限定リストに基づいて、機能限定命令を生成する機能限定モジュールと、前記機能限定命令に基づいて、前記携帯電子装置の対応する機能を停止する機能停止モジュールと、を備える。
【０００５】
また、前記課題を解決するために、本発明に係る安全管理システムの安全管理方法は、携帯電子装置とサーバとの間で適用される安全管理システムに用いられ、該サーバ内には機能限定リストが記憶されている。前記機能限定リストには、前記携帯電子装置の各異なる位置情報に対応した、停止させる前記携帯電子装置の機能が記録されている。また、前記安全管理方法は、前記携帯電子装置の位置情報を提供するステップと、前記位置情報及び前記機能限定リストに基づいて、機能限定命令を生成するステップと、前記機能限定命令に基づいて、前記携帯電子装置の対応する機能を停止させるステップと、を含む。
【発明の効果】
【０００６】
本発明の安全管理システム及び安全管理方法において、携帯電子装置の各異なる位置情報に基づいて、前記携帯電子装置の対応する機能を停止させて、重要な情報の漏洩を防止することができるため、情報の安全性を確保することができる。
【図面の簡単な説明】
【０００７】
【図１】本発明に係る安全管理システムの適用を示すネットワーク図である。
【図２】本発明に係る安全管理システムのブロック図である。
【図３】本発明に係る安全管理方法のフローチャートである。
【発明を実施するための形態】
【０００８】
以下、図面に基づいて、本発明に係る安全管理システム及びその安全管理方法について詳細に説明する。
【０００９】
図１に示したように、本発明に係る安全管理システム１０は、携帯電子装置２０と、サーバ３０と、の間で適用される。携帯電子装置２０は、無線通信又は有線通信によって、サーバ３０とデータ交換を行う。
【００１０】
図２に示したように、安全管理システム１０は、複数のモジュール及び記憶ユニット１１を備える。記憶ユニット１１には、機能限定リストが記憶されており、該機能限定リストには、携帯電子装置２０の各異なる位置情報に対応して停止する携帯電子装置２０の機能を停止する機能が記録されている。
【００１１】
前記複数のモジュールは、情報提供モジュール１２３と、機能限定モジュール１２４及び機能停止モジュール１２５と、を備える。情報提供モジュール１２３は、携帯電子装置２０が位置する位置情報を提供する。機能限定モジュール１２４は、情報提供モジュール１２３が提供した位置情報及びサーバ３０が提供した機能限定リストに基づいて、機能限定命令を生成する。機能停止モジュール１２５は、機能限定モジュール１２４が生成した機能限定命令に基づいて、携帯電子装置２０の対応する機能を停止する。本実施形態において、情報提供モジュール１２３は、全地球測位システム（ＧＰＳ）又はアシスト型全地球測位システム（Ａ−ＧＰＳ）である。
【００１２】
本発明をよりわかりやく理解するために、安全管理システム１０が、携帯電子装置２０とサーバ３０との間で実行及び制御されることに対して説明する。
【００１３】
本実施形態において、情報提供モジュール１２３及び機能停止モジュール１２５は、携帯電子装置２０内で実行され、機能限定リストは、サーバ３０内に記憶され（即ち、記憶ユニット１１がサーバ３０内に記憶されている）、機能限定モジュール１２４は、サーバ３０内で実行される。例えば、情報提供モジュール１２３は、携帯電子装置２０の位置情報をサーバ３０に周期的に提供し、携帯電子装置２０が、撮影禁止場所（例えば、実験室、研究室、開発室など）に進入した際に、情報提供モジュール１２３は、携帯電子装置２０の撮影禁止場所における位置情報をサーバ３０に提供（送信）する。次いで、サーバ３０は、該位置情報及び機能限定リストに基づいて、撮影機能を停止する機能限定命令を生成し、該機能限定命令を携帯電子装置２０に提供（送信）する。機能停止モジュール１２５は、機能限定命令に基づいて、携帯電子装置２０の撮影機能を停止させて、撮影できないようにすることで、重要な情報が漏洩すること防止する。
【００１４】
他の実施形態において、機能限定リストには、携帯電子装置２０の位置情報とユーザー（携帯電子装置２０の所有者）のアクセス権レベルとを組み合わせた条件に対応した停止させる携帯電子装置２０の機能がさらに記録されている。情報提供モジュール１２３は、携帯電子装置２０のユーザーのアクセス権レベルをさらに提供し、機能限定モジュール１２４は、情報提供モジュール１２３が提供した位置情報、ユーザーのアクセス権レベル、機能限定リストに基づいて、機能限定命令を生成する。例えば、ユーザーのアクセス権レベルが最高レベルである場合、機能限定モジュール１２４は、携帯電子装置２０の位置情報に関係なく、何れの機能限定命令も生成しない。即ち、機能停止モジュール１２５は、携帯電子装置２０の何れの機能も停止しない。ユーザーのアクセス権レベルが中間レベル又は最低レベルである場合、機能限定モジュール１２４は、携帯電子装置２０の位置情報及びユーザーのアクセス権レベルに基づいて、対応する機能限定命令を生成し、機能停止モジュール１２５は、該機能限定命令に基づいて、携帯電子装置２０の対応する機能を停止させる。
【００１５】
本実施形態において、各々のモジュールが動作する対象は、具体的な要求によって変更することができる。
【００１６】
他の実施形態において、記憶ユニット１１には、ユーザーの生体特徴情報が予め設定されている。該生体特徴情報は、電子装置の所有者の指紋、瞳孔、音声、顔の特徴の中の１つ、又は何れかの組み合わせであることができる。
【００１７】
複数のモジュールは、受信モジュール１２１及び検証モジュール１２２をさらに備える。受信モジュール１２１は、ユーザーが入力したユーザーの生体特徴情報を受信し、検証モジュール１２２は、該受信したユーザーの生体特徴情報が、記憶ユニット１１内に記憶されているユーザーの生体特徴情報の中の１つであるかどうかを検証する。受信したユーザーの生体特徴情報が、記憶ユニット１１内に記憶されているユーザーの生体特徴情報の中の１つである場合、情報提供モジュール１２３は、携帯電子装置２０の位置情報を提供する。本実施形態において、受信モジュール１２１及び検証モジュール１２２は、アクセス管理装置４０内で実行される。ユーザーが携帯電子装置２０を携帯して、アクセス管理装置４０の前に現れた際、受信モジュール１２１は、ユーザーが入力した生体特徴情報を受信し、検証モジュール１２は、該受信した生体特徴情報を検証する。該受信した生体特徴情報が、予め設定されているユーザーの生体特徴情報の中の１つである場合、アクセス管理装置４０は、そのユーザーの撮影禁止場所への進入を許可する一方、携帯電子装置２０の位置情報を要求する命令を情報提供モジュール１２３に伝送する。次いで、情報提供モジュール１２３は、該命令に応答して、携帯電子装置２０の位置情報を提供する。機能限定モジュール１２４は、情報提供モジュール１２３による位置情報及びサーバ３０による機能限定リストに基づいて、機能限定命令を生成する。機能停止モジュール１２５は、該機能限定命令に基づいて、携帯電子装置２０の対応する機能を停止させる。
【００１８】
安全管理システム１０は、バーコード生成モジュール１２７、表示モジュール１２８、撮影モジュール１２９及びバーコード検証モジュール１３０をさらに備える。バーコード生成モジュール１２７は、一組の動的なバーコードをランダムに生成する。表示モジュール１２８は、該生成された一組の動的なバーコードを表示する。撮影モジュール１２９は、表示された一組の動的なバーコードを撮影して取得した後、該取得した一組の動的なバーコードをアップロードする。バーコード検証モジュール１３０は、該アップロードされた一組の動的なバーコードを検証する。アップロードされた一組の動的なバーコードが、バーコード生成モジュール１２７によって、ランダムに生成された一組の動的なバーコードである場合、情報提供モジュール１２３は、携帯電子装置２０の位置情報を提供する。機能限定モジュール１２４は、情報提供モジュール１２３による位置情報及びサーバ３０による機能限定リストに基づいて、機能限定命令を生成する。機能停止モジュール１２５は、該機能限定命令に基づいて、携帯電子装置２０の対応する機能を停止させる。本実施形態において、バーコード生成モジュール１２７及び表示モジュール１２８は、アクセス管理装置４０内で実行され、撮影モジュール１２９及び機能停止モジュール１２５は、携帯電子装置２０内で実行され、バーコード検証モジュール１３０及び機能限定モジュール１２４は、サーバ３０内で実行される。
【００１９】
他の実施形態において、バーコード生成モジュール１２７、表示モジュール１２８及び機能停止モジュール１２５は、携帯電子装置２０内で実行され、撮影モジュール１２９は、アクセス管理装置４０内で実行され、バーコード検証モジュール１３０及び機能限定モジュール１２４は、サーバ３０内で実行される。
【００２０】
前記複数のモジュールは、機能回復モジュール１２６をさらに備える。携帯電子装置２０が他の位置に移動した場合（例えば撮影禁止場所を退出した後、会議室等へ入室する場合）、情報提供モジュール１２３は、再度、携帯電子装置２０の新しい位置情報を提供し、機能限定モジュール１２４は、情報提供モジュール１２３による新しい位置情報及びサーバ３０による機能限定リストに基づいて、他の機能限定命令を生成する。機能停止モジュール１２５は、該他の機能限定命令に基づいて、携帯電子装置２０の他の機能（例えば通信機能等）を停止させる。次いで、機能回復モジュール１２６は、既に停止されている機能を回復させて使用状態にする。
【００２１】
図３は、本発明に係る安全管理システムの安全管理方法のフローチャートである。該安全管理方法は、以下のステップ（Ｓ６０１〜Ｓ６０５）を含む。
【００２２】
ステップＳ６０１において、受信モジュール１２１が、ユーザーが入力したユーザーの生体特徴情報を受信する。
【００２３】
ステップＳ６０２において、検証モジュール１２２が、該受信したユーザーの生体特徴情報が、記憶ユニット１１内に記憶されているユーザーの生体特徴報の中の１つであるかを検証する。
【００２４】
ステップＳ６０３において、受信したユーザーの生体特徴情報が予め設定されているユーザーの生体特徴情報の中の１つである場合、情報提供モジュール１２３が、携帯電子装置２０の位置情報を提供する。
【００２５】
ステップＳ６０４において、機能限定モジュール１２４が、情報提供モジュール１２３による位置情報及びサーバ３０による機能限定リストに基づいて、機能限定命令を生成する。
【００２６】
ステップＳ６０５において、機能停止モジュール１２５が、該機能限定命令に基づいて、携帯電子装置２０の対応する機能を停止させる。
【００２７】
また、安全管理方法は、バーコード生成モジュール１２７が、一組の動的なバーコードをランダムに生成するステップと、表示モジュール１２８が、該生成された一組の動的なバーコードを表示するステップと、撮影モジュール１２９が、表示された一組の動的なバーコードを撮影して取得した後、該取得した一組の動的なバーコードをアップロードするステップと、バーコード検証モジュール１３０が、該アップロードされた一組の動的なバーコードを検証するステップと、該アップロードされた一組の動的なバーコードが、バーコード生成モジュール１２７によって、ランダムに生成された一組の動的なバーコードである場合、情報提供モジュール１２３が、携帯電子装置２０の位置情報を提供するステップと、機能限定モジュール１２４が、情報提供モジュール１２３による位置情報及びサーバ３０による機能限定リストに基づいて、機能限定命令を生成するステップと、機能停止モジュール１２５が、該機能限定命令に基づいて、携帯電子装置２０の対応する機能を停止させるステップと、を含む。
【００２８】
本発明の安全管理方法は、携帯電子装置２０が他の位置に移動した場合、機能回復モジュール１２６が、停止されている機能を回復させて、使用状態にするステップをさらに含む。
【００２９】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００３０】
１０  安全管理システム
２０  携帯電子装置
３０  サーバ
１１  記憶ユニット
１２１  受信モジュール
１２２  検証モジュール
１２３  情報提供モジュール
１２４  機能限定モジュール
１２５  機能停止モジュール
１２６  機能回復モジュール
１２７  バーコード生成モジュール
１２８  表示モジュール
１２９  撮影モジュール
１３０  バーコード検証モジュール
４０  アクセス管理装置
【図１】
2013110739.tif 000003
【図２】
2013110739.tif 000004
【図３】
2013110739.tif 000005